(57)【要約】      （修正有）【課題】利用者が嗜好に合う放送番組を見逃すことを防止するための技術を提供する。【解決手段】放送番組が放送中であると判定されたタイミング，放送開始前の所定の時間となったタイミング，ハイライトシーンが検出されたタイミング，のうち、任意のタイミングにおいて、利用者に対して、その放送番組について報知する。このように、利用者に対し放送番組についての報知を行うことによって、利用者は、その放送番組が放送中であること，放送されること，ハイライトシーンとなったことのいずれかを知ることができる。それによって、利用者が、その放送番組が放送されていることを知らない，または忘れているという状況の防止につながり、利用者が入力部３０の報知切り替えボタン，チャネル選択ボタンのいずれかを押してチャネルを切り替えることで、その放送番組を見逃すことを防止できる。【選択図】図１
2007318508.tif 000002
【特許請求の範囲】
【請求項１】
利用者の操作を受けて、放送番組を特定可能な番組特定情報を記憶部に記憶させる情報記憶手段と、
少なくとも複数の放送番組それぞれに対応するスケジュールを示す番組情報データについて、その番組情報データで示される放送番組の中から、前記記憶部に記憶された番組特定情報で特定される放送番組を検索する番組検索手段と、
前記番組情報データで示される放送番組のスケジュールのうち、前記番組検索手段により検出された放送番組に対応するスケジュールに基づいて、その放送番組が放送されること、または放送されていることを判定する放送状況判定手段と、
前記放送状況判定手段の判定結果に応じて定められたタイミングで報知を行う報知手段と、
を備えるテレビ受像装置。
【請求項２】
前記放送状況判定手段は、前記番組検索手段により検出された放送番組が放送中であるか否かを判定し、
前記報知手段は、前記放送状況判定手段により放送番組が放送中であると判定されたタイミングで、その放送番組が放送されていることを報知する
ことを特徴とする請求項１に記載のテレビ受像装置。
【請求項３】
放送番組を示す放送データを受信する放送データ受信手段と、
前記放送データ受信手段が受信する放送データに基づいて、その放送データで示される放送番組においてハイライトシーンとなったことを検出するハイライトシーン検出手段と、を備え、
前記放送状況判定手段は、前記番組検索手段により検出された放送番組が放送中であるか否かを判定し、
前記ハイライトシーン検出手段は、前記放送状況判定手段により放送番組が放送中であると判定された以降、前記放送データ受信手段が受信する放送データのうち、前記放送中であると判定された放送番組の放送データに基づいて、その放送番組においてハイライトシーンとなったことを検出し、
前記報知手段は、前記ハイライトシーン検出手段によりハイライトシーンが検出されたタイミングで、前記放送番組においてハイライトシーンになったことを報知する
ことを特徴とする請求項１または請求項２に記載のテレビ受像装置。
【請求項４】
前記番組情報データで示される複数の放送番組の中から、利用者に放送番組を指定させる番組指定手段を備え、
前記情報記憶手段は、前記番組指定手段によって指定された放送番組の情報を前記番組特定情報として前記記憶部へ記憶させる
ことを特徴とする請求項１〜３いずれかに記載のテレビ受像装置。
【請求項５】
放送番組に関連する情報を利用者に入力させる番組情報入力手段を備え、
前記情報記憶手段は、前記番組情報入力手段によって入力された情報を前記番組特定情報として前記記憶部へ記憶させ、
前記番組検索手段は、前記番組情報データで示される放送番組の中から、前記記憶部に記憶された番組特定情報に関連付けられる放送番組を検索する
ことを特徴とする請求項１〜４いずれかに記載のテレビ受像装置。
【請求項６】
放送番組を示す放送データを受信する放送データ受信手段と、
利用者の操作を受けて、前記放送データ受信手段が受信する放送データのうちのいずれかの放送データを、利用者に視聴させるべき放送番組を示す放送データとして設定する放送データ設定手段と、を備え、
前記放送データ設定手段は、前記報知手段によって報知が行われた以降、利用者による特定の操作を受けた際に、前記放送状況判定手段により放送されること、または放送されていることを判定された放送番組を示す放送データを、利用者に視聴させるべき放送番組を示す放送データとして設定する
ことを特徴とする請求項１〜５いずれかに記載のテレビ受像装置。
【請求項７】
前記報知手段による報知があった以降、前記放送データ設定手段による設定の変更が行われた際に、その変更前に設定されていた放送データについて、その放送データで示される放送番組の記憶部への録画を開始させる録画制御手段を備える
ことを特徴とする請求項６に記載のテレビ受像装置。
【請求項８】
前記番組情報データで示される放送番組のスケジュールのうち、前記録画制御手段によって録画が開始された放送番組に対応するスケジュールに基づいて、その放送番組の放送が終了しているか否かを判定する放送終了判定手段を備え、
前記録画制御手段は、前記放送番組の録画を開始させた以降、前記放送終了判定手段によりその放送番組が終了したと判定された際に、その放送番組の録画を終了する
ことを特徴とする請求項７に記載のテレビ受像装置。
【請求項９】
利用者の操作を受けて、放送番組を特定可能な番組特定情報を記憶部に記憶させる情報記憶ステップと、
少なくとも複数の放送番組それぞれに対応するスケジュールを示す番組情報データについて、その番組情報データで示される放送番組の中から、前記記憶部に記憶された番組特定情報で特定される放送番組を検索する番組検索ステップと、
前記番組情報データで示される放送番組のスケジュールのうち、前記番組検索ステップにより検出された放送番組に対応するスケジュールに基づいて、その放送番組が放送されること、または放送されていることを判定する放送状況判定ステップと、
前記放送状況判定ステップの判定結果に応じたタイミングで報知を行う報知ステップと、
を備えるテレビ受像装置用プログラム。
【発明の詳細な説明】
【技術分野】
【０００１】
本発明は、テレビ受像装置に関する。
【背景技術】
【０００２】
従来、利用者自ら電子番組表から放送番組を選択し、録画および視聴の予約を行っていた。また、予め電子番組表から選択した放送番組の放送が開始されたことの通知を行う技術が提案されている（特許文献１参照）。
【特許文献１】特開２００２−２９０８４９号公報
【発明の開示】
【発明が解決しようとする課題】
【０００３】
近年では、テレビ放送の形態（ＢＳ、ＣＳなど）の多様化および放送データのデジタル化に伴って、放送される放送番組数が増加したため、利用者が、自身の嗜好にあう放送番組が放送されているにもかかわらず、そのことに気付かずに見逃してしまう事態も発生し得る。
【０００４】
本発明は、上記問題に鑑みてなされたものであって、利用者が嗜好に合う放送番組を見逃すことを防止するための技術を提供することを目的とする。
【課題を解決するための手段】
【０００５】
上述した問題点を解決するためになされた請求項１記載の発明は、利用者の操作を受けて、放送番組を特定可能な番組特定情報を記憶部に記憶させる情報記憶手段と、少なくとも複数の放送番組それぞれに対応するスケジュールを示す番組情報データについて、その番組情報データで示される放送番組の中から、前記記憶部に記憶された番組特定情報で特定される放送番組を検索する番組検索手段と、前記番組情報データで示される放送番組のスケジュールのうち、前記番組検索手段により検出された放送番組に対応するスケジュールに基づいて、その放送番組が放送されること、または放送されていることを判定する放送状況判定手段と、前記放送状況判定手段の判定結果に応じて定められたタイミングで報知を行う報知手段と、を備えるテレビ受像装置である。
【０００６】
このように構成されたテレビ受像装置は、番組検索手段が検出した放送番組（以下、「検出放送番組」という）の放送状況に応じて定められたタイミングで、利用者に対して検出放送番組が放送されること，または放送されていることを報知する。
【０００７】
このように、利用者に対し放送番組についての報知を行うことによって、利用者は検出放送番組が放送されること，または放送されていることを知ることができる。それによって、利用者が、検出放送番組が放送されていることを知らない，または忘れているという状況の防止につながり、利用者が検出放送番組を視聴するための操作を行うことで、その放送番組を見逃すことを防止できる。
【０００８】
なお、報知手段とは、検出放送番組が、放送される，放送されている，のいずれであるかを判定する放送状況判定手段の判定結果に応じた報知を行う手段である。報知を行うタイミングとしては、例えば、放送状況判定手段により「放送されている」と判定されたタイミング，放送番組がハイライトシーンとなったタイミング，放送番組が開始される時刻から所定の時間遡ったタイミング，などが考えられる。そして、その状況に応じた内容にて報知を行うとよい。
【０００９】
上述した報知手段によって、放送状況判定手段により「放送されている」と判定されたタイミングにて報知を行うための具体的な構成としては、請求項２に記載されているように、請求項１に記載されたテレビ受像装置において、前記放送状況判定手段が、前記番組検索手段により検出された放送番組が放送中であるか否かを判定し、そして、前記報知手段が、前記放送状況判定手段により放送番組が放送中であると判定されたタイミングで、その放送番組が放送されていることを報知する構成とすることが考えられる。
【００１０】
このように構成されたテレビ受像装置は、放送状況判定手段によって検出放送番組が放送中であると判定されたタイミングで、利用者にその放送番組が放送されていることを報知する。
【００１１】
このとき、放送状況判定手段による判定結果が「放送中」となるタイミングは、検出放送番組の放送が開始された時であるため、このようなタイミングで報知がなされることで、利用者は検出放送番組が開始されたことを知ることができる。よって、利用者は、この報知を受けて検出放送番組を視聴するための操作を行うことによって、その放送番組、特にその放送番組の開始部分を見逃すことを防止できる。
【００１２】
ここで、さらに効果的に報知を行うためには、放送状況判定手段が検出放送番組の放送状況を「放送中」と判定していること，利用者がテレビ受像装置を起動する操作をした以後であること，の２つの条件が揃ったタイミングで報知する構成とするとよい。
【００１３】
このような構成であれば、検出放送番組が放送中であるとき、利用者がテレビの視聴を開始すると、そのタイミングで報知する。そのため、利用者は、テレビの視聴を開始すると同時に、検出放送番組が放送されていることを知ることができる。
【００１４】
また、上述した報知手段によって、放送番組がハイライトシーンとなったタイミングにて報知を行うための具体的な構成としては、請求項３に記載されている構成が考えられる。
【００１５】
請求項３に記載のテレビ受像装置は、請求項１または請求項２に記載されたテレビ受像装置において、放送番組を示す放送データを受信する放送データ受信手段と、前記放送データ受信手段が受信する放送データに基づいて、その放送データで示される放送番組においてハイライトシーンとなったことを検出するハイライトシーン検出手段と、を備える。
【００１６】
そして、この構成では、前記放送状況判定手段が、前記番組検索手段により検出された放送番組が放送中であるか否かを判定し、前記ハイライトシーン検出手段が、前記放送状況判定手段により放送番組が放送中であると判定された以降、前記放送データ受信手段が受信する放送データのうち、前記放送中であると判定された放送番組の放送データに基づいて、その放送番組においてハイライトシーンとなったことを検出し、前記報知手段が、前記ハイライトシーン検出手段によりハイライトシーンが検出されたタイミングで、前記放送番組においてハイライトシーンになったことを報知する。
【００１７】
このように構成されたテレビ受像装置は、検出放送番組において、ハイライトシーンが検出されたタイミングで、利用者にその放送番組がハイライトシーンとなったことを報知する。
【００１８】
このように、ハイライトシーンとなったことを報知することで、利用者は、検出放送番組がハイライトシーンとなったことを知ることができる。そのため、その放送番組を視聴するための操作を行うことによって、その放送番組のハイライトシーンを視聴できる。
【００１９】
これにより、検出放送番組がハイライトシーンであるか否かを確認するために、他の放送番組から検出放送番組へと視聴する番組を切り替える操作を頻繁に行う必要がなくなる。
【００２０】
なお、ハイライトシーン検出手段とは、例えば、特開２００４−２３３５４１号公報に記載されたハイライトシーン検出システムのハイライトシーン検出手段と同様の構成のものを利用することなどが考えられる。
【００２１】
ところで、上述した番組特定情報とは、利用者の嗜好に合った放送番組の特定に利用できる情報であればよい。その番組特定情報は、利用者の入力により取得される構成とすればよい。また、利用者の視聴履歴から、視聴する頻度が高い放送番組名，放送番組のジャンル，放送番組の内容を示すキーワードなどを番組特定情報として取得する構成としてもよい。
【００２２】
この前者のように、番組特定情報を利用者の入力により取得するための具体的な構成としては、請求項４に記載されている構成が考えられる。
請求項４に記載のテレビ受像装置は、請求項１〜３いずれかに記載されたテレビ受像装置において、前記番組情報データで示される複数の放送番組の中から、利用者に放送番組を指定させる番組指定手段を備える。
【００２３】
そして、この構成では、前記情報記憶手段が、前記番組指定手段によって指定された放送番組の情報を前記番組特定情報として前記記憶部へ記憶させる。
このように構成されたテレビ受像装置は、利用者が指定した放送番組について、放送状況判定手段の判定結果に基づいて報知手段が報知を行う。
【００２４】
ここで、番組指定手段によって指定する放送番組を、利用者が報知を希望する放送番組とすれば、そのような放送番組について報知させることができるため、利用者はそのような放送番組が放送されること，放送されていることを知ることができる。
【００２５】
また、番組特定情報を利用者の入力により取得するための具体的な構成であって、上述したものとは異なる構成として、請求項５に記載したような構成も考えられる。
請求項５に記載のテレビ受像装置は、請求項１〜４いずれかに記載されたテレビ受像装置において、放送番組に関連する情報を利用者に入力させる番組情報入力手段を備える。
【００２６】
そして、この構成では、前記情報記憶手段が、前記番組情報入力手段によって入力された情報を前記番組特定情報として前記記憶部へ記憶させ、前記番組検索手段が、前記番組情報データで示される放送番組の中から、前記記憶部に記憶された番組特定情報に関連付けられる放送番組を検索する。
【００２７】
このように構成されたテレビ受像装置は、番組検索手段が、利用者に入力された放送番組に関連する情報に基づいて放送番組を検索し、放送状況判定手段の判定結果に基づいて報知手段が報知を行う。
【００２８】
ここで、番組情報入力手段によって入力する情報を、利用者の嗜好に合う放送番組のジャンル，放送番組の内容を示すキーワードなどとすれば、利用者の嗜好に合った放送番組について報知させることができるため、利用者はそのような放送番組が放送されること，または放送されていることを知ることができる。
【００２９】
また、本発明におけるテレビ受像装置は、請求項６に記載したような構成としてもよい。
それは、請求項１〜５いずれかに記載されたテレビ受像装置において、放送番組を示す放送データを受信する放送データ受信手段と、利用者の操作を受けて、前記放送データ受信手段が受信する放送データのうちのいずれかの放送データを、利用者に視聴させるべき放送番組を示す放送データとして設定する放送データ設定手段と、を備える構成である。
【００３０】
そして、この構成では、前記放送データ設定手段が、前記報知手段によって報知が行われた以降、利用者による特定の操作を受けた際に、前記放送状況判定手段により放送されること、または放送されていることを判定された放送番組を示す放送データを、利用者に視聴させるべき放送番組を示す放送データとして設定する。
【００３１】
このように構成されたテレビ受像装置は、利用者によって上述の特定の操作が行われることで、それまで視聴されていた番組から検出放送番組に、視聴させるべき放送番組を切り替える。
【００３２】
そのため、利用者は、検出放送番組を視聴するために、特定の操作を行うだけでよく、その放送番組を指定して視聴するための操作をしなくてもよい。
また、請求項６に記載されたテレビ受像装置は、請求項７に記載したように、前記報知手段による報知があった以降、前記放送データ設定手段による設定の変更が行われた際に、その変更前に設定されていた放送データについて、その放送データで示される放送番組の記憶部への録画を開始させる録画制御手段を備える構成であってもよい。
【００３３】
このように構成されたテレビ受像装置は、利用者による上述した特定の操作をうけて、視聴させるべき放送番組を検出放送番組に切り替えた際、それまで利用者に視聴されていた放送番組の録画を開始する。
【００３４】
このように、利用者がそれまで視聴していた放送番組から検出放送番組へと、視聴する放送番組を切り替えた場合であっても、録画制御手段が、利用者にそれまで視聴されていた放送番組を録画するため、利用者は録画された放送番組を後で視聴することができる。
【００３５】
また、このテレビ受像装置は、請求項８に記載したような構成としてもよい。
それは、請求項７に記載されたテレビ受像装置において、前記番組情報データで示される放送番組のスケジュールのうち、前記録画制御手段によって録画が開始された放送番組に対応するスケジュールに基づいて、その放送番組の放送が終了しているか否かを判定する放送終了判定手段を備える、といった構成である。
【００３６】
そして、この構成では、そのテレビ受像装置における前記録画制御手段が、前記放送番組の録画を開始させた以降、前記放送終了判定手段によりその放送番組が終了したと判定された際にその放送番組の録画を終了する。
【００３７】
このように構成されたテレビ受像装置は、前述した特定の操作をうけて録画制御手段が録画を開始した後、そのように録画されている放送番組の放送終了を放送終了判定手段が判定した際に、録画制御手段が録画を終了する。
【００３８】
そのため、利用者による操作がなくとも、放送番組の放送終了と共に録画を終了させることができる結果、放送終了後の無用な録画が行われないようにできる。
また、請求項９のプログラムは、利用者の操作を受けて、放送番組を特定可能な番組特定情報を記憶部に記憶させる情報記憶ステップと、少なくとも複数の放送番組それぞれに対応するスケジュールを示す番組情報データについて、その番組情報データで示される放送番組の中から、前記記憶部に記憶された番組特定情報で特定される放送番組を検索する番組検索ステップと、前記番組情報データで示される放送番組のスケジュールのうち、前記番組検索ステップにより検出された放送番組に対応するスケジュールに基づいて、その放送番組が放送されること、または放送されていることを判定する放送状況判定ステップと、前記放送状況判定ステップの判定結果に応じたタイミングで報知を行う報知ステップと、を備えるテレビ受像装置用プログラムである。
【００３９】
このプログラムにより制御されるテレビ受像装置であれば、請求項１に記載のテレビ受像装置の一部を構成することができる。
また、上述したプログラムは、前記放送状況判定ステップにおいて、前記番組検索ステップにて検出した放送番組が放送中であるか否かを判定し、前記報知ステップにおいて、前記放送判定ステップにて放送番組が放送中であると判定したタイミングで、その放送番組が放送されていることを報知するように構成されていてもよい。
【００４０】
このように構成されるプログラムにより制御されるテレビ受像装置であれば、請求項２に記載のテレビ受像装置の一部を構成することができる。
また、上述した各プログラムは以下に示す構成とされていてもよい。
【００４１】
それは、上述した各プログラムにおいて、放送番組を示す放送データを受信する放送データ受信ステップと、前記放送データ受信ステップにて受信する放送データに基づいて、その放送データで示される放送番組においてハイライトシーンとなったことを検出するハイライトシーン検出ステップと、を備える構成である。
【００４２】
そして、このプログラムでは、前記放送状況判定ステップにおいて、前記番組検索ステップにて検出した放送番組が放送中であるか否かを判定し、前記ハイライトシーン検出ステップにおいて、前記放送状況判定ステップにて放送番組が放送中であると判定された以降、前記放送データ受信ステップにて受信する放送データのうち、前記放送中であると判定した放送番組の放送データに基づいて、その放送番組においてハイライトシーンとなったことを検出し、前記報知ステップにおいて、前記ハイライトシーン検出ステップにてハイライトシーンを検出したタイミングで、前記放送番組においてハイライトシーンになったことを報知する。
【００４３】
このように構成されるプログラムにより制御されるテレビ受像装置であれば、請求項３に記載のテレビ受像装置の一部を構成することができる。
また、上述した各プログラムは以下に示す構成とされていてもよい。
【００４４】
それは、上述した各プログラムにおいて、前記番組情報データで示される複数の放送番組の中から、利用者に放送番組を指定させる番組指定ステップを備える、といった構成である。
【００４５】
そして、このプログラムでは、前記情報記憶ステップにおいて、前記番組指定ステップにて指定された放送番組の情報を前記番組特定情報として前記記憶部へ記憶させる。
このように構成されるプログラムにより制御されるテレビ受像装置であれば、請求項４に記載のテレビ受像装置の一部を構成することができる。
【００４６】
また、上述した各プログラムは以下に示す構成とされていてもよい。
それは、上述した各プログラムにおいて、放送番組に関連する情報を利用者に入力させる番組情報入力ステップを備える、といった構成である。
【００４７】
そして、このプログラムでは、前記情報記憶ステップにおいて、前記番組情報入力ステップにて入力された情報を前記番組特定情報として前記記憶部へ記憶させ、前記番組検索ステップにおいて、前記番組情報データで示される放送番組の中から、前記記憶部に記憶した番組特定情報に関連付けられる放送番組を検索する。
【００４８】
このように構成されるプログラムにより制御されるテレビ受像装置であれば、請求項５に記載のテレビ受像装置の一部を構成することができる。
また、上述した各プログラムは以下に示す構成とされていてもよい。
【００４９】
それは、上述した各プログラムにおいて、放送番組を示す放送データを受信する放送データ受信ステップと、利用者の操作を受けて、前記放送データ受信ステップにて受信する放送データのうちのいずれかの放送データを、利用者に視聴させるべき放送番組を示す放送データとして設定する放送データ設定ステップと、を備える構成である。
【００５０】
そして、このプログラムでは、前記放送データ設定ステップにおいて、前記報知ステップにて報知が行われた以降、利用者による特定の操作を受けた際に、前記放送状況判定ステップにて放送されること、または放送されていることを判定した放送番組を示す放送データを、利用者に視聴させるべき放送番組を示す放送データとして設定する。
【００５１】
このように構成されるプログラムにより制御されるテレビ受像装置であれば、請求項６に記載のテレビ受像装置の一部を構成することができる。
また、上記プログラムは以下に示す構成とされていてもよい。
【００５２】
それは、上記プログラムにおいて、前記報知ステップにて報知があった以降、前記放送データ設定ステップにて設定の変更が行われた際に、その変更前に設定されていた放送データについて、その放送データで示される放送番組の記憶部への録画を開始させる録画制御ステップを備える、といった構成である。
【００５３】
このように構成されるプログラムにより制御されるテレビ受像装置であれば、請求項７に記載のテレビ受像装置の一部を構成することができる。
また、上記プログラムは以下に示す構成とされていてもよい。
【００５４】
それは、上記プログラムにおいて、前記番組情報データで示される放送番組のスケジュールのうち、前記録画制御ステップにて録画が開始された放送番組に対応するスケジュールに基づいて、その放送番組の放送が終了しているか否かを判定する放送終了判定ステップを備える、といった構成である。
【００５５】
そして、このプログラムでは、前記録画制御ステップにおいて、前記放送番組の録画を開始した以降、前記放送終了判定ステップにてその放送番組の終了が検出した際にその放送番組の録画を終了する。
【００５６】
このように構成されるプログラムにより制御されるテレビ受像装置であれば、請求項８に記載のテレビ受像装置の一部を構成することができる。
なお、上述した各プログラムは、コンピュータによる処理に適した命令の順番付けられた列からなるものであって、各記録媒体や通信回線を介してテレビ受像装置や、これを利用するユーザに提供されるものである。
【発明を実施するための最良の形態】
【００５７】
以下に本発明の実施形態を図面と共に説明する。
（１）全体構成
本実施形態におけるテレビ受像装置１は、図１に示すように、制御部１０，受信部２０，入力部３０，出力部４０，ディスプレイ４２，スピーカ４４などを備える。
【００５８】
制御部１０は、ＣＰＵ１２，記憶部１４などを備えており、このＣＰＵ１２が記憶部１４に記憶されているプログラムに従ってテレビ受像装置１全体を制御する。また、記憶部１４は、プログラムを記憶する領域のほか、後述する番組特定情報を記憶する領域，番組情報データを記憶する領域，放送番組の録画データを記憶する領域などを備える。
【００５９】
ここで、番組情報データとは、例えば、番組名，チャネル，ジャンル，開始日時，終了日時，番組の概要，その他の添付情報（出演者，放送番組のシリーズ名など）を示すＥＰＧデータである。この番組情報データは、テレビ放送の放送局より放送電波によって頻繁に配信されている。このテレビ受像装置１では、番組情報データを、アンテナ２２を介して受信し上記記憶部１４に記憶する。なお、記憶部１４に記憶される番組情報データは、新たに番組情報データを受信する毎に更新される。
【００６０】
また、受信部２０は、アンテナ２２を介して受信された放送電波から必要な放送データおよび番組情報データを抽出する。そして、この受信部２０は、放送電波から抽出した放送データを、ＣＰＵ１２からの指令を受けて、選択的にＣＰＵ１２，または，出力部４０へ出力する。
【００６１】
また、出力部４０は、アンテナ２２が受信した放送データに基づいて、ディスプレイ４２への映像出力およびスピーカ４４への音声出力を行う。また、後述のように、放送番組の報知を行う際にもディスプレイ４２，スピーカ４４にそれぞれ出力を行う。
【００６２】
また、入力部３０は、後述する番組特定情報登録処理を開始させるための入力開始ボタン，後述する番組特定情報登録処理および録画制御処理において各種選択肢の選択をするための選択ボタン，選択ボタンにより選択された選択肢を選択済とするための決定ボタン，選択ボタンと決定ボタンによる選択肢の選択を終了させるための入力完了ボタン，後述する報知処理における報知をうけてチャネルを切り替えるための報知切り替えボタン，それぞれチャネルを切り替えるための複数のチャネル選択ボタン，後述する報知処理において報知を終了させるための報知終了ボタン，各種文字入力をするための文字ボタンなどを備える。
（２）テレビ受像装置１による処理
以下に、テレビ受像装置１の制御部１０により実行される各種処理について説明する。
（２−１）番組特定情報登録処理
以下に、番組特定情報登録処理の処理手順を図２に基づいて説明する。
【００６３】
この番組特定情報登録処理は、利用者により入力部３０の入力開始ボタンが押された際に起動する。
番組特定情報登録処理が開始されると、まず、記憶部１４に記憶されている番組情報データが読み出される（Ｓ１０）。そして、番組特定情報の入力方法を選択するための画面として、入力方法選択画面がディスプレイ４２に表示される（Ｓ１２）。ここでいう番組特定情報とは、利用者の嗜好に合った放送番組の特定に利用できる情報をいう。本実施例においては、利用者が選択する放送番組名，放送番組のジャンル，および利用者が入力するキーワードが番組特定情報に該当する。
【００６４】
この入力方法選択画面は、図３に示すように、利用者が、番組特定情報を入力する方法を示す「番組名指定」，「ジャンル選択」，「キーワード入力」の３つの選択肢と、本処理を終了させるための選択肢である「入力終了」とが配置された画面である。この表示がされた後、利用者は、入力部３０の選択ボタンを押すことで、この中のいずれかの選択肢を選択することができ、その状態で入力部３０の入力完了ボタンを押すことで、以下に示す番組特定情報を入力するためのステップ，または，本処理を終了させるためのステップに移行させることができる。
【００６５】
このＳ１２にて入力方法選択画面が表示された以降、利用者により入力部３０の決定ボタンが押されるまで待機状態となる（Ｓ１４：Ｎｏ）。
その後、入力部３０の決定ボタンが押された際（Ｓ１４：Ｙｅｓ）、その時点で上記選択肢のうち「入力終了」が選択されていれば（Ｓ１６：Ｙｅｓ）、後述する放送番組検索処理が起動され（Ｓ１８）、その後、本処理は終了する。
【００６６】
また、上述したＳ１４にて決定ボタンが押された際、その時点で上記選択肢のうち「番組名指定」が選択されていれば（Ｓ１６：Ｎｏ、Ｓ２０：Ｙｅｓ）、Ｓ１０にて読み出された番組情報データに基づいた放送番組表がディスプレイ４２に表示される（Ｓ２２）。この放送番組表は、各放送番組の放送番組名および概要が、チャネルと放送時刻とに応じてマトリクス状に配置されているものである。その放送番組表の一部を図４に示す。この放送番組表においては、各放送番組の放送番組名および概要が記されてなる項目（表示領域）それぞれが選択肢となっている。
【００６７】
こうして放送番組表の表示がされた後、利用者は、入力部３０の選択ボタンを押すことで、放送番組表に示された放送番組の項目の中から一または複数の放送番組を選択することができ、その状態で入力部３０の決定ボタンを押すことで、その選択肢を選択済（図４における網掛け部分参照）とすることができる。
【００６８】
また、上述したＳ１４にて決定ボタンが押された際、その時点で上記選択肢のうち「ジャンル選択」が選択されていれば（Ｓ２０：Ｎｏ、Ｓ４０：Ｙｅｓ）、放送番組のジャンル一覧表がディスプレイ４２に表示される（Ｓ４２）。ここでいうジャンルとは、例えば、ニュース，映画，スポーツ，音楽，ドラマ，バラエティ，教育，アニメ，レジャーなどが該当する。そして、ジャンル一覧表とは、上述したジャンル全てが画面に表示されているものであり、ジャンルの内容それぞれが選択肢となっている。
【００６９】
このジャンル一覧表が表示された後、利用者は、入力部３０の選択ボタンを押すことで、ジャンル一覧表に示されたジャンルの中から一または複数のジャンルを選択することができ、その状態で入力部３０の決定ボタンを押すことで、その選択肢を選択済とすることができる。
【００７０】
また、上述したＳ１４にて決定ボタンが押された際、その時点で上記選択肢のうち「キーワード入力」が選択されていれば（Ｓ４０：Ｎｏ）、キーワード入力画面がディスプレイ４２に表示される（Ｓ５０）。ここでいうキーワードとは、任意の文字列にて形成される番組特定情報のことをいう。
【００７１】
上記キーワード入力画面には、「直接入力」，「キーワード一覧より選択」の項目が選択肢として配置されている。このキーワード入力画面が表示された後、利用者は、入力部３０の選択ボタンを押すことで、キーワードの入力方法を「直接入力」，「キーワード一覧より選択」のいずれかから選択することができ、その状態で入力部３０の決定ボタンを押すことで、その選択肢に対応した以下に示す画面を表示させることができる。
【００７２】
このＳ５０におけるキーワード入力画面の表示があった以降、利用者により入力部３０の決定ボタンが押されるまで待機状態となる（Ｓ５２：Ｎｏ）。
その後、入力部３０の決定ボタンが押された際（Ｓ５２：Ｙｅｓ）、その時点で上記選択肢のうち「直接入力」が選択されていれば（Ｓ５４：Ｙｅｓ）、文字列入力画面がディスプレイ４２に表示される（Ｓ５６）。
【００７３】
この文字列入力画面は、図５に示すように、文字列表示欄５０と、入力済欄５２とが配置された画面である。上記文字列表示欄５０は、キーワードとしての文字列を入力するための欄であり、上記入力済欄５２は、上記文字列表示欄５０に入力された入力済の文字列が表示される欄である。
【００７４】
この文字列入力画面が表示された以降、利用者は、入力部３０の文字ボタンを押すことで文字列表示欄５０に文字列を入力することができる。そして、文字列表示欄５０に文字列が入力された状態で入力部３０の決定ボタンを押すことで、その文字列を、入力済の文字として入力済欄５２に移すことができる。こうして、文字列表示欄５０に入力された文字列が、入力済欄５２に表示される。
【００７５】
また、上述したＳ５２で入力部３０の決定ボタンが押された際（Ｓ５２：Ｙｅｓ）、その時点で上記選択肢のうち「キーワード一覧より選択」が選択されていれば（Ｓ５４：Ｎｏ）、キーワード一覧表がディスプレイ４２に表示される（Ｓ５８）。ここで表示されるキーワードは、予め記憶部１４に記憶されている文字列である。そして、このキーワード一覧表とは、それらのキーワードが表示されているものであり、キーワードそれぞれが選択肢となっている。
【００７６】
この表示がされた後、利用者は、入力部３０の選択ボタンを押すことで、キーワード一覧表に示されたキーワードの中から一または複数のキーワードを選択することができ、その状態で入力部３０の決定ボタンを押すことで、その選択肢を選択済とすることができる。
【００７７】
上述したＳ２２，Ｓ４２，Ｓ５６，Ｓ５８におけるディスプレイ４２への表示がなされた以降、利用者により入力部３０の入力完了ボタンが押されるまで待機状態となる（Ｓ２４：Ｎｏ）。
【００７８】
その後、利用者により入力部３０の入力完了ボタンが押されると（Ｓ２４：Ｙｅｓ）、記憶部１４に記憶されている特定情報テーブルが読み出される（Ｓ２６）。ここでいう特定情報テーブルは、図６に示すように、それぞれ「放送番組名」，「ジャンル」，「キーワード」，「放送中」，「放送前」，「ハイライト」，「放送前時間」，「検索済」の項目からなる複数のデータ群を備えたデータテーブルである。
【００７９】
このデータ群は、それぞれ「放送番組名」，「ジャンル」，「キーワード」のいずれかの項目にのみ番組特定情報がセットされている。また、「放送中」，「放送前」，「ハイライト」，「放送前時間」の項目は、放送番組に関する報知を行うにあたってのタイミングを示す項目であり、「放送前時間」を除いてそれぞれ初期状態では報知を行わない旨を示す「０」がセットされており、以降の処理で各項目にパラメータがセットされることとなる。例えば、放送中であることを報知する場合には「放送中」に「１」がセットされ、放送される前に報知する場合には「放送前」に「１」がセットされると共に、「放送前時間」に数値（分を表す）がセットされ、ハイライトシーンとなったことを報知する場合には「ハイライト」に「１」がセットされる。また「検索済」は、以降の処理で「１」または「０」がセットされる項目である。
【００８０】
上述したＳ２６にて特定情報テーブルが読み出された後、ディスプレイ４２に報知タイミング入力画面が表示される（Ｓ２８）。この報知タイミング入力画面とは、図７に示すように、Ｓ２２，Ｓ４２，Ｓ５６，Ｓ５８にて表示された画面に基づいて利用者が選択済または入力済とした番組特定情報（放送番組名，ジャンル，キーワード）をそれぞれ入力項目として、各入力項目で特定される放送番組に関する報知を行うタイミングが一覧表示されてなる画面である。
【００８１】
ここでいう「報知を行うタイミング」としては、各入力項目について、放送中の報知を行うか否か（図７における「放送中」参照），放送される前に報知を行うか否か（同図「放送前」参照），ハイライトシーンになったことの報知を行うか否か（同図「ハイライト」参照）などがある。
【００８２】
この報知タイミング入力画面が表示された後、利用者は、入力部３０の選択ボタンを押すことで、入力項目それぞれに対応する「報知を行うタイミング」について報知を行うか否か（ＯＮまたはＯＦＦ）を選択することができ、決定ボタンを押すことで、その内容を決定することができる。なお、「報知を行うタイミング」のうち、放送される前に報知を行うことを決定した場合には、放送前に報知を行う場合の時間（報知時間）をも選択することができる。
【００８３】
こうして、Ｓ２８にて報知タイミング入力画面が表示された以降、入力部３０の入力完了ボタンが押されるまで待機状態となる（Ｓ３０：Ｎｏ）。
その後、入力部３０の入力完了ボタンを押す操作が行われた場合（Ｓ３０：Ｙｅｓ）、上記Ｓ２２，Ｓ４２，Ｓ５６，Ｓ５８にて表示された画面に基づいて利用者が選択済または入力済とした番組特定情報（放送番組名，ジャンル，キーワードのいずれか）と、Ｓ３０で入力完了ボタンが押された時点における報知タイミング入力画面の選択状態（放送中，放送前，ハイライト，放送前時間それぞれ）と、に基づいて、特定情報テーブルへのデータ群の登録が行われる（Ｓ３２）。ここでは、まず、上記Ｓ２２，Ｓ４２，Ｓ５６，Ｓ５８にて表示された画面に基づいて利用者が選択済または入力済とした番組特定情報で示される文字列が、「放送番組名」，「ジャンル」，「キーワード」のうち該当する項目のみにセットされる（図６，図７参照）。また、Ｓ３０で入力完了ボタンが押された時点における報知タイミング入力画面の選択状態に応じて、放送中の報知を行うべき旨が選択されていれば（図７の「ＯＮ」参照）、データ群における項目「放送中」に「１」がセットされる一方、同報知を行うべき旨が選択されていなければ（同図「ＯＦＦ」参照）、同項目「放送中」に「０」がセットされる。また、放送される前に報知を行うべき旨が選択されていれば（図７の「ＯＮ」参照）、データ群における項目「放送前」に「１」がセットされると共に、項目「報知前時間」に報知時間がセットされる一方、同報知を行うべき旨が選択されていなければ（図７の「ＯＦＦ」参照）、同項目に「０」がセットされる。また、ハイライトシーンになったことの報知を行うべき旨が選択されていれば（図７の「ＯＮ」参照）、データ群における「ハイライト」に「１」がセットされる一方、同報知を行うべき旨が選択されていなければ（同図「ＯＦＦ」参照）、同項目に「０」がセットされる。また、データ群における項目「検索済」については、初期値である「０」がセットされる。
【００８４】
なお、このＳ３２においては、既に同じ番組特定情報がセットされたデータ群が特定情報テーブルに登録されている場合、そのデータ群における項目「放送中」，「放送前」，「ハイライト」，「放送前時間」それぞれが該当する情報に更新されることとなる。
【００８５】
このＳ３２における特定情報テーブルへの登録の後、処理がＳ１２へ戻る。
（２−２）放送番組検索処理
以下に、放送番組検索処理の処理手順を図８に基づいて説明する。
【００８６】
この放送番組検索処理は、所定の時間を経過するごとに起動される処理であるが、上述した番組特定情報登録処理のＳ１８においても起動される。
この放送番組検索処理が開始された場合、まず、記憶部１４に記憶されている番組情報データが読み出され（Ｓ１０２）、続いて記憶部１４に記憶されている特定情報テーブルが読み出される（Ｓ１０４）。
【００８７】
そして、Ｓ１０４にて読み出された特定情報テーブルに登録されたデータ群における「検索済」の項目をチェックし（Ｓ１０６）、特定情報テーブルに登録された全てのデータ群において「検索済」の項目に「１」がセットされていれば（Ｓ１０８：Ｙｅｓ）、全てのデータ群における「検索済」の項目が「０」に更新された後（Ｓ１１０）、放送番組検索処理は終了する。
【００８８】
この「検索済」は、番組特定情報に基づいた放送番組の検索が行われた際に「１」がセットされる項目である。つまり、このＳ１０６，Ｓ１０８では、特定情報テーブルにおける全てのデータ群について、以降の処理が行われたか否かがチェックされることとなる。
【００８９】
また、上述したＳ１０６によるチェックの結果、「検索済」の項目に「０」がセットされているデータ群が存在していると判定された場合（Ｓ１０８：Ｎｏ）、そのデータ群の中からいずれかのデータ群が選択され（Ｓ１１２）、Ｓ１０２にて読み出された番組情報データで示される放送番組の中から、その選択された放送番組特定情報に基づく放送番組の検索が行われる（Ｓ１１４）。
【００９０】
ここでは、データ群における番組特定情報が「放送番組名」であれば、その放送番組名と同一の放送番組名となっている放送番組が、番組情報データで示される放送番組の中から検索される。また、番組特定情報が「ジャンル」であれば、番組情報データで示される放送番組の中から、放送番組のジャンルとして、番組特定情報としてのジャンルと一致または類似する情報を有している放送番組が検索される。また、番組特定情報が「キーワード」であれば、番組情報データで示される放送番組の中から、放送番組それぞれの放送番組名，ジャンル，番組の概要，出演者名などの情報として、番組特定情報としてのキーワードで示される文字列と一致または類似する情報を有している放送番組が検索される。
【００９１】
このＳ１１４の検索の結果、放送番組が検出された場合（Ｓ１４０：Ｙｅｓ）、そうして検出された放送番組に関する情報が、新規に検索されたものであることを条件に、報知番組テーブルに登録される（Ｓ１４２）。この「報知番組テーブル」とは、図９に示すように、それぞれ放送番組の名称（放送番組名），放送番組の放送が開始される日時（開始日時），放送番組の放送が終了する日時（終了日時），放送番組が放送されるチャネル（放送チャネル），放送番組について報知をするタイミング（報知タイミング），放送番組について放送開始前に報知をする場合において放送のどれだけ前に報知をするかを示す時間（放送前時間），といった項目からなるデータ群を１以上備えたデータテーブルである。そして、このＳ１４２では、該当項目に情報をセットしたデータ群の報知番組テーブルへの登録が、Ｓ１１４にて検出された放送番組ごとに行われる。
【００９２】
具体的な登録内容について説明すると、まず、「放送番組名」には、上述したＳ１１４にて検出された放送番組の名称がセットされる。また、「開始日時」，「終了日時」には、番組情報データで示される開始日時，終了日時のうち、上述したＳ１１４にて検出された該当放送番組における開始日時，終了日時がそれぞれセットされる。また、「放送チャネル」には、番組情報データで示されるチャネルのうち、上述したＳ１１４にて検出された該当放送番組におけるチャネルがセットされる。また、「報知タイミング」には、Ｓ１１２にて選択されたデータ群の「報知を行うタイミング」における「放送中」，「放送前」，「ハイライト」をこの順番で並べた３ビットのパラメータ（１００，０１０，００１，１１０，１０１，０１１，１１１のいずれか）がセットされる。また、「放送前時間」には、Ｓ１１２にて選択されたデータ群の「報知を行うタイミング」における「放送前時間」がセットされる。
【００９３】
こうして、データ群が生成された後に、このデータ群が報知番組テーブルに登録されることとなるが、このとき、各項目にセットされた値のうち、「報知タイミング」以外の値が全て一致する（同一の放送番組を示す）データ群が先に登録されている場合には、そのデータ群については登録されない。但し、この先に登録されているデータ群の「報知タイミング」は、そのビットそれぞれが新たに生成されたデータ群の「報知タイミング」において対応するビットと論理和演算した値に更新される。このように、Ｓ１４２では、各項目にセットされた値のうち、報知タイミング以外で１以上の値が異なっていれば、Ｓ１４０にて検出された放送番組が新規に検出されたものとして、その放送番組に関する情報が、報知番組テーブルに登録されることとなる。
【００９４】
次に、報知番組テーブルに、「報知タイミング」の項目が「１※※（※：０または１、以下同様）」となっているデータ群が登録されているか否かがチェックされる（Ｓ１４４）。
【００９５】
このＳ１４４で、「報知タイミング」の項目が「１※※」となっているデータ群が登録されていると判定された場合（Ｓ１４４：Ｙｅｓ）、そのようなデータ群それぞれに対して、後述する放送中報知開始処理が起動された後（Ｓ１４６）、次の処理（Ｓ１４８）へ移行する。この放送中報知開始処理は、それぞれ該当するデータ群で示される放送番組の放送が開始されたことを報知するために１以上が並列して実行される処理であり、このＳ１４６によりそのデータ群が渡されることで起動する。
【００９６】
一方、「報知タイミング」の項目が「１※※」となっているデータ群が登録されていないと判定された場合（Ｓ１４４：Ｎｏ）、上述したＳ１４６が行われることなく、次の処理（Ｓ１４８）へ移行する。
【００９７】
次に、報知番組テーブルに、「報知タイミング」の項目が「※１※」となっているデータ群が登録されているか否かがチェックされる（Ｓ１４８）。
このＳ１４８で、「報知タイミング」の項目が「※１※」となっているデータ群が登録されていると判定された場合（Ｓ１４８：Ｙｅｓ）、そのようなデータ群それぞれに対して、後述する放送前報知開始処理が起動された後（Ｓ１５０）、次の処理（Ｓ１５２）へ移行する。この放送前報知開始処理は、それぞれ該当するデータ群で示される放送番組の放送が所定の時間後に開始されることを報知するために１以上が並列して実行される処理であり、このＳ１５０によりそのデータ群が渡されることで起動する。
【００９８】
一方、「報知タイミング」の項目が「※１※」となっているデータ群が登録されていないと判定された場合（Ｓ１４８：Ｎｏ）、上述したＳ１５０が行われることなく、次の処理（Ｓ１５２）へ移行する。
【００９９】
次に、報知番組テーブルに、「報知タイミング」の項目が「※※１」となっているデータ群が登録されているか否かがチェックされる（Ｓ１５２）。
このＳ１５２で、「報知タイミング」の項目が「※※１」となっているデータ群が登録されていると判定された場合（Ｓ１５２：Ｙｅｓ）、そのようなデータ群それぞれに対して、後述するハイライト報知開始処理が起動された後（Ｓ１５４）、次の処理（Ｓ１５６）へ移行する。このハイライト報知開始処理は、それぞれ該当するデータ群で示される放送番組がハイライトシーンとなったことを報知するために１以上が並列して実行される処理であり、このＳ１５４によりそのデータ群が渡されることで起動する。
【０１００】
そして、「報知タイミング」の項目が「※※１」となっているデータ群が登録されていないと判定された場合（Ｓ１５２：Ｎｏ）、または、上述したＳ１４０で放送番組が検出されなかった場合（ｓ１４０：Ｎｏ）、Ｓ１１２にて選択された特定情報テーブルのデータ群における「検索済」の項目に「１」がセットされた後、処理がＳ１０４へ戻る。
【０１０１】
（２−３）放送中報知開始処理
以下に、放送中報知開始処理の処理手順を図１０に基づいて説明する。
この放送中報知開始処理は、放送番組検索処理のＳ１４６において起動される。
【０１０２】
この放送中報知開始処理が開始された場合、まず、放送番組検索処理のＳ１４６にて渡されたデータ群に示される放送番組が現在放送中であるか（または、放送が開始されたか）否かがチェックされる（Ｓ２１０）。ここでは、放送番組検索処理のＳ１４６にて渡されたデータ群における「開始日時」で示される時刻と現在の時刻とを比較することで放送状況のチェックが行われる。
【０１０３】
ここで、その放送番組が放送中ではないと判定された場合、その放送番組の放送が開始されるまで待機状態となる（Ｓ２１０：Ｎｏ）。
その後、放送番組の放送が開始されたと判定された場合（Ｓ２１０：Ｙｅｓ）、上記データ群における「放送番組名」，「報知タイミング」，「放送チャネル」がパラメータとして渡されることで、後述する報知処理が起動される（Ｓ２２０）。
【０１０４】
このＳ２２０にて報知処理が起動された後、その放送番組の放送が終了しているか否かがチェックされる（Ｓ２３０）。
ここでは、放送番組検索処理のＳ１４６にて渡されたデータ群のうち、「終了日時」で示される時刻と現在の時刻とを比較することでチェックを行い、放送終了していないと判定された場合、その放送番組の放送が終了するまで待機状態となる（Ｓ２３０：Ｎｏ）。
【０１０５】
その後、放送番組の放送が終了したと判定された場合（Ｓ２３０：Ｙｅｓ）、報知番組テーブルから、Ｓ１４６にて渡されたデータ群と登録の内容が同じデータ群が削除された後（Ｓ２４０）、本処理が終了する。
（２−４）放送前報知開始処理
以下に、放送前報知開始処理の処理手順を図１１に基づいて説明する。
【０１０６】
この放送前報知開始処理は、放送番組検索処理のＳ１５０において起動される。
この放送前報知開始処理が開始された場合、まず、放送番組検索処理のＳ１５０にて渡されたデータ群に示される放送番組に対し、報知を行うべき時刻を経過しているか否かがチェックされる（Ｓ３１０）。ここでは、放送番組検索処理のＳ１５０にて渡されたデータ群における「開始日時」で示される時刻から「放送前時間」遡った時刻と、現在の時刻とを比較することで、報知を行うべき時刻を経過しているか否かのチェックが行われる。
【０１０７】
ここで、報知を行うべき時刻が経過していないと判定された場合、その時刻を経過するまで待機状態となる（Ｓ３１０：Ｎｏ）。
その後、報知を行うべき時刻を経過したと判定された場合（Ｓ３１０：Ｙｅｓ）、上記データ群における「放送番組名」，「報知タイミング」，「放送チャネル」がパラメータとして渡されることで、後述する報知処理が起動される（Ｓ３２０）。
【０１０８】
このＳ３２０にて報知処理が起動された後、その放送番組の放送が終了しているか否かがチェックされる（Ｓ３３０）。
ここでは、放送番組検索処理のＳ１５０にて渡されたデータ群のうち、「終了日時」で示される時刻と現在の時刻とを比較することでチェックを行い、放送終了していないと判定された場合、その放送番組の放送が終了するまで待機状態となる（Ｓ３３０：Ｎｏ）。
【０１０９】
その後、放送番組の放送が終了したと判定された場合（Ｓ３３０：Ｙｅｓ）、報知番組テーブルから、Ｓ１５０にて渡されたデータ群と登録の内容が同じデータ群が削除された後（Ｓ３４０）、本処理が終了する。
（２−５）ハイライト報知開始処理
以下に、ハイライト報知開始処理の処理手順を図１２に基づいて説明する。
【０１１０】
このハイライト報知開始処理は、放送番組検索処理のＳ１５４において起動される。
このハイライト報知開始処理が開始された場合、まず、放送番組検索処理のＳ１５４にて渡されたデータ群その放送番組が現在放送中であるか（または、放送が開始されたか）否かがチェックされる（Ｓ４１０）。ここでは、放送番組検索処理のＳ１５４にて渡されたデータ群における「開始日時」で示される時刻と現在の時刻とを比較することで放送状況のチェックが行われる。
【０１１１】
ここで、放送中ではないと判定された場合、その放送番組の放送が開始されるまで待機状態となる（Ｓ４１０：Ｎｏ）。
その後、放送番組の放送が開始されたと判定された場合（Ｓ４１０：Ｙｅｓ）、その放送番組についてハイライトシーンのチェックが開始される（Ｓ４２０）。ここでは、受信部２０がアンテナ２２を介して受信された放送電波から該当する放送番組の放送データが抽出され、その放送データの音声データに示される音声の周波数帯，振幅，およびその音声データから抽出される単語と、その放送番組のハイライトシーンを特徴付ける単語との合致の有無などに基づくハイライトシーンであるか否かのチェックが開始される（詳細は、特開２００４−２３３５４１号公報参照）。
【０１１２】
このＳ４２０にて、ハイライトシーンのチェックが開始された後、その放送番組の放送が終了しているか否かがチェックされる（Ｓ４３０）。ここでは、放送番組検索処理のＳ１５４にて渡されたデータ群のうち、「終了日時」で示される時刻と現在の時刻とを比較することで放送状況のチェックが行われる。
【０１１３】
ここで、その放送番組が放送終了していると判定された場合（Ｓ４３０：Ｙｅｓ）、報知番組テーブルから、Ｓ１５４に渡されたデータ群と登録の内容が同じデータ群が削除され（Ｓ４４０）、本処理が終了する。
【０１１４】
また、放送番組の放送が終了していないと判定されたと判定された場合（Ｓ４３０：Ｎｏ）、Ｓ４２０において開始されたハイライトシーンのチェック結果より、ハイライトシーンになっていることが検出されているか否かが判定される（Ｓ４５０）。
【０１１５】
ここで、放送番組が現在ハイライトシーンであれば（Ｓ４５０：Ｙｅｓ）、放送番組検索処理のＳ１５４にて渡されたデータ群における「放送番組名」，「報知タイミング」，「放送チャネル」がパラメータとして渡されることで、後述する報知処理が起動され（Ｓ４６０）、その後、処理がＳ４３０へ戻る。また、判定の結果がハイライトシーンでなければ（Ｓ４５０：Ｎｏ）、Ｓ４６０が行われることなく処理がＳ４３０へ戻る。
（２−６）報知処理
以下に、報知処理の処理手順を図１３に基づいて説明する。
【０１１６】
この報知処理は、放送中報知開始処理のＳ２２０，放送前報知開始処理のＳ３２０，ハイライト報知開始処理のＳ４６０において起動される。
この報知処理が起動されると、まず、報知が開始される（Ｓ５１０）。ここでは、各報知開始処理において報知すべきタイミングであると判定された放送番組について、報知タイミングの設定が「放送中」であるならば放送中であること，「放送前」であるならば所定の時間後に放送が開始されること，「ハイライト」であるならば該当する放送番組がハイライトシーンとなったこと，のいずれかを示す文章またはそのチャネルの映像が、ディスプレイ４２の一部表示領域に表示される。
【０１１７】
次に、利用者によって報知を終了させるための操作が行われるまで待機する（Ｓ５２０：Ｎｏ）。ここでいう報知を終了させる操作とは、入力部３０の報知切り替えボタン，チャネル選択ボタン，報知終了ボタンのいずれかを押す操作のことである。
【０１１８】
その後、報知を終了させるための操作が行われた場合（Ｓ５２０：Ｙｅｓ）、Ｓ５１０にて開始させた報知を終了させた後（Ｓ５２２）、その操作内容に応じて以下の処理が行われる。なお、この「報知を終了させる」とは、Ｓ５１０にてディスプレイ４２の一部表示領域に表示させた文章または映像の表示を、その表示領域から消去させることである。
【０１１９】
まず、上述したＳ５２０にて行われた操作として、報知切り替えボタンを押す操作が行われた場合（Ｓ５３０：Ｙｅｓ）、後述する録画制御処理が起動される（Ｓ５３２）。この録画制御処理は、この時点で、受信部２０から出力部４０に出力される放送データに基づく放送番組の録画を、利用者の操作を受けて実現するための処理であり、詳細な処理手順については後述する。
【０１２０】
次に、この報知処理の起動に際して報知開始処理から渡されたデータ群に基づいて、そのデータ群における「放送チャネル」の項目で示されるチャネルが特定される（Ｓ５３４）。
【０１２１】
次に、受信部２０から出力部４０に出力される放送データが、Ｓ５３４にて特定されたチャネルの放送データに切り替えられる（Ｓ５３６）。ここでは、ＣＰＵ１２が、Ｓ５３４にて特定されたチャネルの放送データを出力部４０に出力すべき旨を受信部２０に指令し、この指令を受けた受信部２０が、放送電波から抽出される放送データのうち、そのチャネルの放送データを、出力部４０に出力する放送データとなるように切り替えを行う。
【０１２２】
こうして、Ｓ５３６を終えた後、本処理が終了する。
また、上述したＳ５２０にて行われた操作として、チャネル選択ボタンを押す操作が行われた場合（Ｓ５３０：Ｎｏ，Ｓ５４０：ＹＥＳ）、受信部２０から出力部４０に出力される放送データが、そのチャネル選択ボタンで特定されるチャネルの放送データに切り替えられる（Ｓ５４２）。ここでは、ＣＰＵ１２が、チャネル選択ボタンで特定されるチャネルの放送データを出力部４０に出力すべき旨を受信部２０に指令し、この指令を受けた受信部２０が、放送電波から抽出される放送データのうち、そのチャネルの放送データを、出力部４０に出力する放送データとなるように切り替えを行う。
【０１２３】
こうして、Ｓ５４２を終えた後、本処理が終了する。
そして、上述したＳ５２０にて行われた操作として、報知終了ボタンを押す操作が行われた場合（Ｓ５４０：Ｎｏ）、直ちに本処理が終了する。
（２−７）録画制御処理
以下に、録画制御処理の処理手順を図１４に基づいて説明する。
【０１２４】
この録画制御処理は、上述した報知処理におけるＳ５３２によって起動される。
この録画制御処理が開始されると、まず、記憶部１４から番組情報データが読み出される（Ｓ６１０）。
【０１２５】
次に、確認通知画面がディスプレイ４２の一部に表示される（Ｓ６２０）。この「確認通知画面」は、この時点（報知処理のＳ５３６にて切り替えが行われる前）において、受信部２０から出力部４０に出力される放送データに基づく放送番組の録画を行うか否かを利用者に指定させる画面であり、「録画をする」，「録画をしない」の項目それぞれが選択肢として配置されている。この確認通知画面が表示された以降、利用者は、入力部３０の選択ボタンを押していずれかの選択肢を選択することができ、また、入力部３０の入力完了ボタンを押すことで、放送番組の録画を行うか否かを指定することができる。
【０１２６】
このＳ６２０にて確認通知画面が表示された後、利用者により入力完了ボタンが押されるまで待機状態となる（Ｓ６３０：Ｎｏ）。
その後、入力部３０の決定ボタンが押された際（Ｓ６３０：Ｙｅｓ）、その時点で上記選択肢のうち、「録画をしない」が選択されていれば（Ｓ６４０：Ｎｏ）、本処理が終了する。また、上記選択肢のうち「録画をする」が選択されていれば（Ｓ６４０：Ｙｅｓ）、その放送番組の録画が開始される（Ｓ６５０）。ここでは、ＣＰＵ１２が、受信部２０が放送電波から抽出する放送データのうち、この時点において受信部２０から出力部４０に出力されている放送データをＣＰＵ１２に出力すべき旨を受信部２０に指令する。この指令を受けた受信部２０は、放送電波から抽出される放送データのうち、その出力中の放送データのＣＰＵ１２に対する出力を開始する。そして、ＣＰＵ１２は、こうして受信部２０から出力されてくる放送データを順次記憶部１４に記憶させることで、この放送データで示される放送番組の録画を行う。
【０１２７】
続いて、その録画されている放送番組の放送が終了しているか否かがチェックされる（Ｓ６６０）。ここでは、Ｓ６１０にて読み出された番組情報データに示されるその放送番組の放送終了時刻と現在の時刻とを比較することによって、その放送番組の放送状況がチェックされる。
【０１２８】
ここで、放送番組の放送が終了していないと判定された場合、その放送番組の放送が終了するまで待機状態となる（Ｓ６６０：Ｎｏ）。
その後、放送番組が終了したと判定された場合（Ｓ６６０：Ｙｅｓ）、上述したＳ６４０にて開始された録画が終了され（Ｓ６７０）、本処理が終了する。このＳ６７０では、受信部２０から出力されてくる放送データの記憶部１４への記憶が終了することで録画が終了すると共に、受信部２０からＣＰＵ１２に対する放送データの出力も終了する。具体的には、ＣＰＵ１２が、受信部２０からＣＰＵ１２対する放送データの出力を終了すべき旨を指令し、この指令を受けた受信部２０が、ＣＰＵ１２に対する放送データの出力を終了する。
（３）効果
以上のように構成されたテレビ受像装置１は、放送番組検索処理のＳ１１４において検出した放送番組（以下、「検出放送番組」という）が放送中であると判定されたタイミング（放送中報知開始処理のＳ２２０），放送開始前の所定の時間となったタイミング（放送前報知開始処理のＳ３２０），ハイライトシーンが検出されたタイミング（ハイライト報知開始処理のＳ４６０），のうち、任意のタイミングにおいて、利用者に対して、その放送番組について報知する（報知処理のＳ５１０）。
【０１２９】
このように、利用者に対し放送番組についての報知を行うことによって、利用者は、検出放送番組が放送中であること，放送されること，ハイライトシーンとなったことのいずれかを知ることができる。それによって、利用者が、検出放送番組が放送されていることを知らない，または忘れているという状況の防止につながり、利用者が入力部３０の報知切り替えボタン，チャネル選択ボタンのいずれかを押してチャネルを切り替えることで、その放送番組を見逃すことを防止できる。
【０１３０】
ここで、報知するタイミングのうち「放送中」であると判定されたタイミング（放送中報知開始処理のＳ２２０）とは、検出放送番組の放送が開始された時であるため、このようなタイミングで報知がなされることで、利用者は、検出放送番組が開始されたことを知ることができる。よって、利用者は、この報知を受けて、入力部３０の報知切り替えボタン，チャネル選択ボタンのいずれかを押してその放送番組のチャネルに切り替えることによって、その放送番組、特にその放送番組の開始部分を見逃すことを防止できる。
【０１３１】
また、ハイライト報知開始処理のＳ４６０においてハイライトシーンが検出されたタイミングで報知がなされることで、利用者は、検出放送番組がハイライトシーンとなったことを知ることができ、その後、入力部３０の報知切り替えボタン，チャネル選択ボタンのいずれかを押してその放送番組のチャネルに切り替えることによって、その放送番組のハイライトシーンを視聴できる。
【０１３２】
これにより、検出放送番組がハイライトシーンであるか否かを確認するために、他の放送番組から検出放送番組へと視聴する番組を切り替える操作を頻繁に行う必要がなくなる。
【０１３３】
また、上記実施形態では、番組特定情報登録処理のＳ２４において利用者によって、「番組名指定」，「ジャンル選択」，「キーワード入力」のいずれかの方法により入力された番組特定情報に基づいて検出した放送番組について報知を行う（報知処理のＳ５１０）。
【０１３４】
ここで、「番組名指定」により指定する放送番組を、利用者が報知を希望する放送番組とすれば、そのような放送番組について報知させることができるため、利用者は、報知を希望する放送番組が放送されること，放送されていることを知ることができる。
【０１３５】
また、「ジャンル選択」または「キーワード入力」によって入力する情報を、利用者の嗜好に合う放送番組のジャンル，放送番組の内容を示すキーワードとすれば、利用者の嗜好に合った放送番組について報知させることができるため、利用者は、嗜好に合った放送番組が放送されること，または放送されていることを知ることができる。
【０１３６】
また、上記実施形態では、報知処理のＳ５１０において検出放送番組について報知した後、利用者によって入力部３０の報知切り替えボタンが押されることで（報知処理のＳ５３０で「Ｙｅｓ」）、それまで視聴されていた番組から検出放送番組に、視聴させるべき放送番組を切り替える（報知処理のＳ５３６）。
【０１３７】
そのため、利用者は、検出放送番組にチャネルを合わせるために、入力部３０の報知切り替えボタンを押すだけでよく、放送番組に対応するチャネル選択ボタンを選択的に押す必要がない。
【０１３８】
また、上記実施形態では、上述した入力部３０の報知切り替えボタンを押す操作をうけて、視聴させるべき放送番組を検出放送番組に切り替えた後、利用者により録画を開始する旨の指令を受けると（録画制御処理のＳ６４０で「Ｎｏ」）、それまで利用者に視聴されていた放送番組の録画を開始する（録画制御処理のＳ６５０）。
【０１３９】
これにより、利用者がそれまで視聴していた放送番組から検出放送番組へと、視聴する放送番組を切り替えた場合であっても、利用者にそれまで視聴されていた放送番組を録画するため、利用者は録画された放送番組を後で視聴することができる。
【０１４０】
また、上記実施形態では、前述した録画を開始した後、録画されている放送番組の放送終了を判定した際に、録画を終了する（録画制御処理のＳ６７０）。
そのため、利用者による操作がなくとも、放送番組の放送終了と共に録画を終了させることができる結果、放送終了後の無用な録画が行われないようにできる。
（４）変形例
以上、本発明の実施の形態について説明したが、本発明は、上記の実施形態に何ら限定されることなく、本発明の技術的範囲に属する限り種々の形態をとり得ることはいうまでもない。
【０１４１】
例えば、上記実施形態においては、報知処理のＳ５１０において報知が開始された後、利用者により報知を終了させるための操作が行われるまで待機する構成について例示したが、報知開始から所定時間経過した際に報知を終了させる構成としてもよい。このような構成とすれば、利用者が、検出放送番組の報知がなされた際、その放送番組の視聴を希望しない場合に、報知を終了させる操作をする必要がない。
【０１４２】
また、このように所定時間経過した際に報知を終了させる構成とした場合には、さらに、利用者がテレビ受像装置を起動する操作をした以後であることを条件として報知処理を起動する構成としてもよい。このような構成とすれば、検出放送番組が放送中であるとき、利用者がテレビの視聴を開始すると、そのタイミングで報知するため、利用者は、テレビの視聴を開始すると同時に検出放送番組が放送されていることを知ることができ、放送開始から所定時間が経過した後にテレビの視聴を開始しても、報知が終了しているという懸念がなくなる。
【０１４３】
また、上記実施形態においては、放送番組検索処理のＳ１１２において特定情報テーブルから選択したデータ群に基づいて放送番組を検索した後（放送番組検索処理のＳ１４０）、そのデータ群の「検索済」に１をセットするだけで（放送番組検索処理のＳ１５６）、そのデータ群を消去することなく残しておく構成について例示したが、放送番組の検索の後、その選択されたデータ群を特定情報テーブルから消去する構成としてもよい。
【０１４４】
また、番組特定情報登録処理のＳ２８において表示される報知タイミング入力画面には、同処理におけるＳ２２，Ｓ４２，Ｓ５６，Ｓ５８にて表示された画面に基づいて利用者が選択済または入力済とした番組特定情報のみでなく、それ以前に特定情報テーブルに登録されていたデータ群に示される番組特定情報も同時に入力項目として表示される構成としてもよい。このような構成とすれば、それ以前に入力した番組特定情報で特定される放送番組の報知タイミングも同時に設定することができる。
【０１４５】
また、このような構成とした場合は、さらに、番組特定情報登録処理のＳ１２において表示される入力方法選択画面において「報知タイミング設定」の選択肢を設け、同処理のＳ１４において、その選択肢を選択済とした状態で決定ボタンが押された際に、直ちに同処理のＳ２６に移行する構成としてもよい。
【０１４６】
また、番組特定情報登録処理のＳ２８において行われる報知を行うタイミングの設定とは別に、その設定を変更できる構成としてもよい。具体的には、上記タイミングの設定を変更するための処理を起動させるためのボタンを入力部３０に設け、利用者にそのボタンが押された際に、次のような処理を実行するように構成するとよい。それは、番組特定情報登録処理におけるＳ２６からＳ３２と同様の処理を行った後で終了する処理である。この場合、同処理のＳ２８に対応する処理においては、特定情報テーブルに登録されている全てのデータ群に示される番組特定情報を入力項目として表示するとよい。
【０１４７】
また、上記実施形態においては、番組特定情報登録処理のＳ２４にて利用者に入力されることで番組特定情報を取得する構成について例示したが、利用者の視聴履歴から、視聴する頻度が高い放送番組名，放送番組のジャンル，放送番組の内容を示すキーワードなどを番組特定情報として取得する構成としてもよい。
（５）本発明との対応関係
上記実施形態において、番組特定情報登録処理におけるＳ３２の処理が本発明における情報記憶手段であり、放送番組検索処理におけるＳ１１４の処理が本発明における番組検索手段であり、放送中報知開始処理におけるＳ２１０およびＳ２３０，放送前報知開始処理におけるＳ３１０およびＳ３３０，ハイライト報知開始処理におけるＳ４１０およびＳ４３０の各処理が、本発明における放送状況判定手段であり、報知処理におけるＳ５１０の処理が本発明における報知手段である。
【０１４８】
また、図１における受信部２０が本発明における放送データ受信手段であり、ハイライト報知開始処理におけるＳ４２０の処理が本発明におけるハイライトシーン検出手段である。
【０１４９】
また、番組特定情報登録処理におけるＳ２２の処理が本発明における番組指定手段である。
また、番組特定情報登録処理におけるＳ４２，Ｓ５６，Ｓ５８の処理が本発明における番組情報入力手段である。
【０１５０】
また、報知処理におけるＳ５３４およびＳ５３６の処理が本発明における放送データ設定手段である。
また、録画制御処理におけるＳ６５０の処理が本発明における録画制御手段である。
【０１５１】
また、録画制御処理におけるＳ６６０の処理が本発明における放送終了判定手段である。
【図面の簡単な説明】
【０１５２】
【図１】本発明のテレビ受像装置を示すブロック図
【図２】番組特定情報登録処理の手順を示すフローチャート
【図３】入力方法選択画面を示す図
【図４】放送番組表を示す図
【図５】文字列入力画面を示す図
【図６】特定情報テーブルを示す図
【図７】報知タイミング入力画面を示す図
【図８】放送番組検索処理の手順を示すフローチャート
【図９】報知番組テーブルを示す図
【図１０】放送中報知開始処理の手順を示すフローチャート
【図１１】放送前報知開始処理の手順を示すフローチャート
【図１２】ハイライト報知開始処理の手順を示すフローチャート
【図１３】報知処理の手順を示すフローチャート
【図１４】録画制御処理の手順を示すフローチャート
【符号の説明】
【０１５３】
１…テレビ受像装置、１０…制御部、１２…ＣＰＵ、１４…記憶部、２０…受信部、２２…アンテナ、３０…入力部、４０…出力部、４２…ディスプレイ、４４…スピーカ、５０…文字列表示欄、５２…入力済欄。
【図１】
2007318508.tif 000003
【図２】
2007318508.tif 000004
【図５】
2007318508.tif 000005
【図６】
2007318508.tif 000006
【図８】
2007318508.tif 000007
【図９】
2007318508.tif 000008
【図１０】
2007318508.tif 000009
【図１１】
2007318508.tif 000010
【図１２】
2007318508.tif 000011
【図１３】
2007318508.tif 000012
【図１４】
2007318508.tif 000013
【図３】
2007318508.tif 000014
【図４】
2007318508.tif 000015
【図７】
2007318508.tif 000016